(57)【要約】      （修正有）【課題】別の処理工程への搬送が容易であるとともに、種々のサイズ情報に対応した裁断が可能で、かつ画像形成シートにずれが生じることがなく整列した積載が可能である。【解決手段】画像を形成された連続シートＳを裁断して画像形成シートＳ１を積載するシート処理装置であって、裁断して形成する画像形成シートＳ１のサイズ情報に基づいて裁断して所定サイズの画像形成シートＳ１を得る連続シート裁断部２０と、裁断した画像形成シートＳ１をシート載置台３１上に導き載置させるシートスタック部３０と、を有する。【選択図】図２
2018089939.tif 000002
【特許請求の範囲】
【請求項１】
画像を形成された連続シートを裁断して画像形成シートを積載するシート処理装置であって、
裁断して形成する画像形成シートのサイズ情報に基づいて裁断して所定サイズの画像形成シートを得る連続シート裁断部と、
裁断した画像形成シートをシート載置台上に導き載置させるシートスタック部と、を有することを特徴とするシート処理装置。
【請求項２】
前記連続シート裁断部は、
連続シートを連続方向に対して平行する向きに裁断する第１の裁断手段と、
連続シートを連続方向に対して直交する向きに裁断する第２の裁断手段と、
を有し、
裁断して形成する画像形成シートのサイズ情報に基づいて前記第１の裁断手段と前記第２の裁断手段を制御し、所定サイズの画像形成シートを得ることを特徴とする請求項１に記載のシート処理装置。
【請求項３】
前記第１の裁断手段は、切断して分離し複数枚の所定サイズの画像形成シートを得る分離カッターを有することを特徴とする請求項２に記載のシート処理装置。
【請求項４】
前記シートスタック部は、
裁断して形成した画像形成シートの先端をガイドして収納する先端ジョガーと、
裁断して形成した画像形成シートの両端をガイドして収納するサイドジョガーと、
裁断して複数枚に形成した画像形成シートを分離して収納する分離フェンスと、を有し、
前記分離フェンスは、裁断して形成する画像形成シートのサイズ情報に基づいて待機位置と分離位置へ移動可能であることを特徴とする請求項１に記載のシート処理装置。
【請求項５】
ロール状に巻かれた連続シートを給送し、給送される連続シートに画像を形成する画像形装置と、
前記画像形成装置により画像を形成された連続シートを裁断して画像形成シートを積載する請求項１乃至請求項４のいずれか１項に記載のシート処理装置と、を備えることを特徴とする画像形成システム。
【発明の詳細な説明】
【技術分野】
【０００１】
この発明は、画像を形成された連続シートを裁断して画像形成シートを積載するシート処理装置及び連続シートに画像を形成した後、連続シートを裁断して画像形成シートにする画像形成システムに関する。
【背景技術】
【０００２】
従来、画像形成装置では、ロール状に巻かれた連続シートに画像を形成した後、画像が形成された連続シートをロール状に巻き取り、高速処理する装置があり、ロール状に巻き取った状態で別の処理工程へ搬送して裁断するなどの処理を行っている。
【０００３】
また、ロール状に巻かれた連続シートに画像を形成した後、その連続シートをカットして所定のサイズにして画像形成シートを成果物として得る画像形成システム（特許文献１，２）がある。
【先行技術文献】
【特許文献】
【０００４】
【特許文献１】特開２００４−５３８５７号公報
【特許文献１】特開２０１０−１８８５８６号公報
【発明の概要】
【発明が解決しようとする課題】
【０００５】
従来の画像が形成された連続シートをロール状に巻き取り装置では、ロール状に巻き取った状態では重量があり、かつ大型であるために別の処理工程への搬送が困難であった。
【０００６】
また、従来の画像形成システムでは、連続シートは画像形成後に裁断されるが、一定の裁断方式しかなく、裁断して形成する画像形成シートのサイズ情報に対応した裁断ではなかった。また、裁断して形成する画像形成シートを積載しているが、積載する際に画像形成シートにずれが生じて整列した積載が困難であるなどの問題があった。
【０００７】
この発明は、このような従来技術の問題点を解消するべく案出されたものであり、その主な目的は、別の処理工程への搬送が容易であるとともに、種々のサイズ情報に対応した裁断が可能で、かつ画像形成シートにずれが生じることがなく整列した積載が可能であるシート処理装置及び画像形成システムを提供することにある。
【課題を解決するための手段】
【０００８】
前記課題を解決し、かつ目的を達成するために、この発明は、以下のように構成した。
【０００９】
請求項１に記載の発明は、画像を形成された連続シートを裁断して画像形成シートを積載するシート処理装置であって、
裁断して形成する画像形成シートのサイズ情報に基づいて裁断して所定サイズの画像形成シートを得る連続シート裁断部と、
裁断した画像形成シートをシート載置台上に導き載置させるシートスタック部と、を有することを特徴とするシート処理装置である。
【００１０】
請求項２に記載の発明は、前記連続シート裁断部は、
連続シートを連続方向に対して平行する向きに裁断する第１の裁断手段と、
連続シートを連続方向に対して直交する向きに裁断する第２の裁断手段と、を有し、
裁断して形成する画像形成シートのサイズ情報に基づいて前記第１の裁断手段と前記第２の裁断手段を制御し、所定サイズの画像形成シートを得ることを特徴とする請求項１に記載のシート処理装置である。
【００１１】
請求項３に記載の発明は、前記第１の裁断手段は、切断して分離し複数枚の所定サイズの画像形成シートを得る分離カッターを有することを特徴とする請求項２に記載のシート処理装置である。
【００１２】
請求項４に記載の発明は、前記シートスタック部は、
裁断して形成した画像形成シートの先端をガイドして収納する先端ジョガーと、
裁断して形成した画像形成シートの両端をガイドして収納するサイドジョガーと、
裁断して複数枚に形成した画像形成シートを分離して収納する分離フェンスと、を有し、
前記分離フェンスは、裁断して形成する画像形成シートのサイズ情報に基づいて待機位置と分離位置へ移動可能であることを特徴とする請求項１に記載のシート処理装置である。
【００１３】
請求項５に記載の発明は、ロール状に巻かれた連続シートを給送し、給送される連続シートに画像を形成する画像形装置と、
前記画像形成装置により画像を形成された連続シートを裁断して画像形成シートを積載する請求項１乃至請求項４のいずれか１項に記載のシート処理装置と、を備えることを特徴とする画像形成システムである。
【発明の効果】
【００１４】
請求項１乃至請求項４に記載の発明では、裁断して形成する画像形成シートのサイズ情報に基づいて裁断して所定サイズの画像形成シートを得て、この裁断した画像形成シートをシート載置台上に導き載置させることで、裁断して形成する画像形成シートのサイズ情報に対応した裁断が可能で、かつ画像形成シートにずれが生じることがなく整列した積載が可能である。
【００１５】
請求項５に記載の発明では、請求項１乃至請求項４のいずれかに記載のシート処理装置を備え、ロール状に巻かれた連続シートに画像を形成した後、連続シートを裁断して形成する画像形成シートのサイズ情報に対応した裁断し、裁断した画像形成シートにずれが生じることがなく整列した積載が可能で、かつ別の処理工程への搬送が容易である。
【図面の簡単な説明】
【００１６】
【図１】画像形成システムの概略図である。
【図２】シート処理装置においてＡ４サイズに裁断する実施例の図である。
【図３】シート処理装置においてＡ３サイズに裁断する実施例の図である。
【図４】Ａ４サイズに裁断する工程図である。
【図５】Ａ３サイズに裁断する工程図である。
【発明を実施するための形態】
【００１７】
以下、この発明のシート処理装置及び画像形成システムの実施の形態について説明する。この発明の実施の形態は、発明の最も好ましい形態を示すものであり、この発明はこれに限定されない。
【００１８】
（画像形成システム）
この実施の形態の画像形成システムを、図１に基づいて説明する。図１は画像形成システムの概略図である。画像形成システム１００は、電子写真方式の画像形成装置１０１と、画像形成装置１０１の上流側に接続された連続シート給送装置１０２と、画像形成装置１０１の下流側に接続されたシート処理装置１と、を備えている。シート処理装置１は、連続シートＳを裁断して形成する画像形成シートＳ１のサイズ情報に対応した裁断し、裁断した画像形成シートＳ１を台車９０に積載し、例えば製本装置１０３へ搬送する。この裁断した画像形成シートＳ１を台車９０に積載して搬送することで、軽量化され、小型になり別の処理工程への搬送が容易である。
【００１９】
連続シート給送装置１０２、シート処理装置１は、分離できるように画像形成装置１０２に接続されているが、一体化されていてもよい。画像形成装置１０１は、自動原稿送り装置によって原稿を画像読取装置に給送して読み取らせ、また、画像読取装置からの画像読取情報に基づいて連続シートＳに画像を形成することなく、外部から送信されてきた画像情報に基づいて連続シートＳに画像を形成してもよい。画像形成装置１０１は、電子写真方式に限定されるものではない。
【００２０】
連続シート給送装置１０２から給送された連続シートＳは、インクジェット方式等による用紙長記録部１０４を通過するとき、作成しようとしている画像形成シートＳ１の長さに相当する距離搬送される度に、用紙長記録部１０４により裁断位置を示すマークがマーキングされる。連続シートＳは、用紙長記録部１０４によってマーキングされたマークの位置を基準にして、タイミングを合わせて搬送される。
【００２１】
（シート処理装置）
この実施の形態のシート処理装置１を、図２乃至図５に基づいて詳細に説明する。図２はシート処理装置においてＡ４サイズに裁断する実施例の図、図３はシート処理装置においてＡ３サイズに裁断する実施例の図、図４はＡ４サイズに裁断する工程図、図５はＡ３サイズに裁断する工程図である。
【００２２】
このシート処理装置１は、画像を形成された連続シートＳを裁断して画像形成シートＳ１にし、画像形成シートＳ１を積載する装置であり、シート給送部１０と、連続シート裁断部２０と、シートスタック部３０と、を有する。
【００２３】
シート給送部１０は、画像を形成された連続シートＳを連続シート裁断部２０へ給装する。連続シートＳは、紙を用いているが、紙に限定されてない。紙の代用品である樹脂製の薄いシート状のものもある。シート給送部１０には、連続シートＳをシート裁断部２０へ給装する機構を備えるが、ローラ搬送機構などで構成される周知の機構であり、図示しない。
【００２４】
連続シート裁断部２０は、裁断して形成する画像形成シートＳ１のサイズ情報に基づいて裁断して所定サイズの画像形成シートＳ１を得る構成であり、連続シートＳを連続方向に対して平行する向きに裁断する第１の裁断手段２１と、連続シートＳを連続方向に対して直交する向きに裁断する第２の裁断手段２２と制御手段２３と、シート裁断位置検出センサ２４を有する。
【００２５】
また、連続シート裁断部２０には、裁断くず回収容器２５が配置されており、第１の裁断手段２１及び第２の裁断手段２２により裁断されて生じる裁断くずが落下して裁断くず回収容器２５に回収される。
【００２６】
第１の裁断手段２１は、サイドカッター２１ａ，２１ｂと、分離カッター２１ｃと、カッター駆動手段２１ｄを有し、カッター駆動手段２１ｄは、制御手段２３からの指令に基づいてサイドカッター２１ａ，２１ｂと、分離カッター２１ｃを駆動し、連続シートＳを連続方向に対して平行する向きに裁断する。サイドカッター２１ａ，２１ｂは、連続シートＳの両サイドの切断を行い、分離カッター２１ｃは、切断して分離し複数枚の所定サイズの画像形成シートＳ１を得る。カッター駆動手段２１ｄは、サイドカッター２１ａ，２１ｂと、分離カッター２１ｃを連続シートＳのシート面に対して直交方向に動作させて連続シートＳを裁断するが、この裁断方法に限定されない。
【００２７】
第２の裁断手段２２は、カッター２２ａと、カッター駆動手段２２ｂを有し、カッター駆動手段２２ｂは、制御手段２３からの指令に基づいてカッター２２ａを駆動し、連続シートＳを連続方向に対して直交する向きに裁断する。カッター駆動手段２２ｂは、カッター２２ａを連続シートＳのシート面に対して直交方向に動作させて連続シートＳを裁断するが、この裁断方法に限定されない。
【００２８】
制御手段２３は、裁断して形成する画像形成シートＳ１のサイズ情報に基づいて第１の裁断手段２１と第２の裁断手段２２を制御し、所定サイズの画像形成シートＳ１を得る。裁断して形成する画像形成シートＳ１のサイズ情報は、例えば連続シートＳに画像を形成する画像形成装置１０１からの情報、またはシート処理装置１において操作部９１から入力される。
【００２９】
裁断して形成する画像形成シートＳ１のサイズ情報として、例えば、Ａ４サイズとＡ３サイズがある。図４（ａ）に示すように、画像を形成された連続シートＳにＡ４サイズの画像が形成されていると、制御手段２３に裁断して形成する画像形成シートＳ１のサイズ情報としてＡ４サイズの情報が入力される。制御手段２３は、シート裁断位置検出センサ２４が連続シートＳに記録された裁断位置を示すマークＭを検出し、図４（ｂ）に示すように、第１の裁断手段２１のサイドカッター２１ａ，２１ｂにより連続シートＳの両サイドの切断を行うと共に、分離カッター２１ｃにより裁断して分離し２枚のＡ４サイズにし、その後、図４（ｃ）に示すように、第２の裁断手段２２のカッター２２ａにより連続シートＳを連続方向に対して直交する向きに裁断して分離し２枚のＡ４サイズの画像形成シートＳ１を得る。
【００３０】
図５（ａ）に示すように、画像を形成された連続シートＳにＡ３サイズの画像が形成されていると、制御手段２３に裁断して形成する画像形成シートＳ１のサイズ情報としてＡ３サイズの情報が入力される。制御手段２３は、シート裁断位置検出センサ２４が連続シートＳに記録された裁断位置を示すマークＭを検出し、図５（ｂ）に示すように、第１の裁断手段２１のサイドカッター２１ａ，２１ｂにより連続シートＳの両サイドの切断を行い、その後図５（ｃ）に示すように、第２の裁断手段２２のカッター２２ａにより連続シートＳを連続方向に対して直交する向きに裁断を行い、１枚のＡ３サイズの画像形成シートＳ１を得る。
【００３１】
シートスタック部３０は、裁断した画像形成シートＳ１をシート載置台３１上に導き載置させる構成であり、シート載置台３１は台車９０に昇降可能に備えられている。シートスタック部３０は、先端ジョガー３２と、サイドジョガー３３ａ，３３ｂと、分離フェンス３３ｃと、を有する。分離フェンス３３ｃは、裁断して形成する画像形成シートＳ１のサイズ情報に基づいて待機位置と分離位置へ移動可能である。
【００３２】
先端ジョガー３２は、裁断して形成した画像形成シートＳ１の先端をガイドしてシート載置台３１に導き、サイドジョガー３３ａ，３３ｂは、裁断して形成した画像形成シートＳ１の両端をガイドしてシート載置台３１に導く。分離フェンス３３ｃは、裁断して複数枚に形成した画像形成シートＳ１を分離して導く構成であり、例えば分離カッター２２ｃにより切断して分離し２枚のＡ４サイズの画像形成シートＳ１を得る場合には分離位置に移動し、１枚のＡ３サイズの画像形成シートＳ１を得る場合には待機位置に移動して待機する。
【００３３】
このように、画像が形成された連続シートＳは、連続したままシート処理装置１に搬送され、シート処理装置１で連続シートを裁断して形成する画像形成シートＳ１のサイズ情報に対応した裁断し、裁断した画像形成シートＳ１にずれが生じることがなく整列しシート載置台３１上に積載が可能である。
【産業上の利用可能性】
【００３４】
この発明は、画像を形成された連続シートを裁断して画像形成シートを積載するシート処理装置及び連続シートに画像を形成した後、連続シートを裁断して画像形成シートにする画像形成システムに適用され、別の処理工程への搬送が容易であるとともに、種々のサイズ情報に対応した裁断が可能で、かつ画像形成シートにずれが生じることがなく整列した積載が可能である。
【符号の説明】
【００３５】
１００  画像形成システム
１０１  画像形成装置
１０２  連続シート給送装置
１０３  製本装置
１０４  用紙長記録部
１  シート処理装置
１０シート給送部
２０  連続シート裁断部
２１  第１の裁断手段
２１ａ，２１ｂ  サイドカッター
２１ｃ  分離カッター
２１ｄ  カッター駆動手段
２２  第２の裁断手段
２２ａ  カッター
２２ｂ  カッター駆動手段
２３  制御手段
２４  シート裁断位置検出センサ
２５  裁断くず回収容器
３０  シートスタック部
３１  シート載置台
３２  先端ジョガー
３３ａ，３３ｂ  サイドジョガー
３３ｃ  分離フェンス
９０  台車
９１  操作部
Ｓ  連続シート
Ｓ１  画像形成シート
【図１】
2018089939.tif 000003
【図２】
2018089939.tif 000004
【図３】
2018089939.tif 000005
【図４】
2018089939.tif 000006
【図５】
2018089939.tif 000007